(57)【要約】プラグ４１０は、本体、及びそれから延び、その間に間隙を形成する複数のビーム４１８を有するプラグハウジング４１６を具備する。部材４３０は、その遠方端におけるビーム４１８間の間隙４２２を橋渡しする。本体４３４を有する接地接点４１２、延長された接点部分４３６、及び接片４４４は、プラグハウジング４１６内に挿入される。延長された接点部分４３６の遠方端に形成された凹所４３７は、部材４３０と係合する。接地接点４１４は、本体を介して、かつビーム４１８に沿って形成された通路内に配置されるそれから延びる突出部４５０を有する。第１形状係数を有する部分及び第２形状係数を有する部分を有する信号接点４１２は、又プラグハウジング４１６内に挿入される。第１形状係数を有する部分は、通路４２４を介してプラグハウジング本体４１６内に、かつビーム４１８に形成された谷部４２０に沿って延びる。信号接点４１２の遠方端は、その中に配置されるビーム４１８から突出部４７０による遠方端に形成された凹所４７２を有する。第２形状係数を有する信号接点４１２の部分は、ハウジング本体４１６に当接する。
2005531886.tif 000002
【特許請求の範囲】
【請求項１】
遠方端に形成されたノッチを有する複数の接点と、これらの複数の接点を受けるためのハウジングであって、本体、前記複数の接点を受けるためにその間に形成された間隙をもってそれから延びる複数のビーム、及び前記ビームの遠方端に近接する前記複数のビームを橋渡しする部材を有するハウジングとを有してなり、前記複数の接点のそれぞれのために、前記ノッチは前記部材の少なくとも部分と係合するプラグ。
【請求項２】
前記部材は、前記ノッチに対応する形状を有し、前記部材は、前記ノッチ内に配置される前記請求項１記載のプラグ。
【請求項３】
前記接点は、接地接点である前記請求項１記載のプラグ。
【請求項４】
前記複数の接点のそれぞれは、さらに少なくとも１つの突出部を有し、この少なくとも１つの突出部は、複数のビームの１つの側に形成された通路内に配置された前記請求項１記載のプラグ。
【請求項５】
前記通路は、プラグハウジングの本体内に延びる前記請求項４記載のプラグ。
【請求項６】
その中に少なくとも1つのノッチを有する複数の接点と、これらの複数の接点を受けるためのハウジングであって、本体、及びそれから延びる複数のビームを有し、各ビームは、谷部内に延びる少なくとも１つの突出部を有する谷部をその中に形成するハウジングとからなり、前記谷部のそれぞれは、そのノッチに配置される前記突出部をその中に有する複数の接点の１つであるプラグ。
【請求項７】
前記複数の接点のそれぞれは、遠方端に設けられたノッチを有する前記請求項６記載のプラグ。
【請求項８】
前記複数の接点のそれぞれは、遠方端に設けられた２つのノッチを有し、それぞれの前記谷部は、その谷部に延びる突出部を有し、その２つの突出部は、前記２つのノッチ内に配置される前記請求項６記載のプラグ。
【請求項９】
前記接点は、信号接点である前記請求項６記載のプラグ。
【請求項１０】
第１の形状係数を有する第１の部分と第２の形状係数を有する第２の部分とを有する複数の接点と、前記複数の接点を受けるハウジングであって、本体及びそれから延びる複数のビームを有し、前記本体は前記内に前記複数のビームと整列した開口間に延びるその中に形成された複数の通路を有するハウジングとよりなり、前記複数の接点は、前記通路を介して前記ビームに沿って延び、さらに前記第２の部分は前記通路よりも大きい形状係数を有し、前記第２の部分は、前記通路の１つの開口において前記本体と当接するプラグ。
【請求項１１】
前記接点の第２の部分は、前記通路よりも大きい高さを有する前記請求項１０記載のプラグ。
【請求項１２】
前記接点の第２の部分は、前記開口よりも大きい幅を有する前記請求項１０記載のプラグ。
【請求項１３】
前記通路は、形がまっすぐである３つの側と弧状である第４の側とを有する前記請求項１０記載のプラグ。
【請求項１４】
前記谷部のそれぞれに形成された突出部は、それぞれの前記接点に形成されたノッチに配置される前記請求項１０記載のプラグ。
【請求項１５】
複数の接点であってそれから延びる少なくとも１つの突出部を有するものと、前記接点を受けるためのハウジングであって前記接点を受けるためにその中に形成された通路を有する本体、及び前記複数の接点を受けるためにその間に形成された間隙を有する本体から延びる複数のビームを有し、前記通路は前記間隙と整列され、前記通路とビームとがその中に形成された通路を有するハウジングとからなり、前記接点のそれぞれのために、前記突出部は、前記通路の１つと整列され、かつその中に配置されるプラグ。
【請求項１６】
前記接点のそれぞれは、延長された接点区分及び本体区分を有し、この延長された接点区分及び本体区分は、前記通路の１つと整列され、かつその中に配置される前記請求項１５記載のプラグ。
【請求項１７】
それぞれの前記接点は、その中に形成されたノッチを有し、そのノッチは、前記複数のビームを橋渡しする部材と係合する前記請求項１５記載のプラグ。
【請求項１８】
各接点のために、前記部材は、前記ノッチ内に配置される前記請求項１７記載のプラグ。
【請求項１９】
本体であって、この本体はハウジングとの締まり嵌めを形成するための第１表面を有するとともに、ハウジングとの締まり嵌めを形成するための前記第１表面と反対側の第２表面を有するものと、前記本体から延びる延長された接点と、前記本体から延び、前記本体によって前記延長された接点から分離されてなり、前記第１表面と整列された表面を有する第１接片と、前記本体から延び、前記本体によって前記延長された接点から分離されてなり、前記第２表面と整列された表面を有する第２接片とを有する、ハウジング内に挿入されるための電気接点。
【請求項２０】
前記第１接片は、さらに第１接点を有し、前記第２接片は、さらに第２接点を有する前記請求項１９記載の電気接点。
【請求項２１】
前記第１及び第２表面の少なくとも一方は、その中に形成される保持あごを有する前記請求項１９記載の電気接点。
【請求項２２】
さらに、前記ハウジングに形成された通路に配置されるための少なくとも１つの突出部を有する前記請求項１９記載の電気接点。
【請求項２３】
前記延長された接点は、遠方端に近接してその中に形成された凹所を有する前記請求項１９記載の電気接点。
【発明の詳細な説明】
【技術分野】
【０００１】
この発明は、電気コネクタに関し、特には、プラグとレセプタクルとに関する。
【０００２】
（関連出願に対するクロスリファレンス）
この出願は、２００２年５月２４日出願の米国仮特許出願６０／３８３３６６号、発明の名称「改良されたレセプタクル」、及び２００２年５月２４日出願の米国仮特許出願６０／３８３９４０号、発明の名称「改良されたプラグ」の利益を請求しており、ここにその内容は、それら全体における引用によって共用されている。
【０００３】
この出願は、２００２年５月２４日出願の米国許出願６０／３８３４０３号、発明の名称「シールドされたケーブルのためのパドルカード終端部」及び２００２年５月１０日出願の米国仮特許出願６０／３７９３５３号、発明の名称「オーバーモールドされたストレーンレリーフ及び電気」の利益を請求しており、ここにその内容はそれら全体における引用によって共用されている。
【背景技術】
【０００４】
コンピュータ処理システムのスピードと容量は、常に上昇している。さらには、コンピュータ処理システムは、ますます複雑なネットワークにおいて、相互接続されている。これらの発展の速度を維持するために、新しい、例えばインフィニバンドアーキテクチャのような相互接続システムが提案されてきている。インフィニバンドアーキテクチャは、サーバ相互接続の領域における主要な適用を有する、産業標準であり、チャネルベースの、スイッチ網、相互接続アーキテクチャである。インフィニバンドは、２．５から３０Gbit／秒の範囲の速度で信頼性ある相互接続性能を保証している。
【発明の開示】
【発明が解決しようとする課題】
【０００５】
インフィニバンド標準、及び例えば１０Gbitイーサネット（登録商標）のようなその他の類は、相互接続速度において著しい進歩を示している。これらの技術によって規定される非常に高い速度では、最高レベルの電気的性能が実際の相互接続装置を要求する。例えば、正確なインピーダンスマッチングを有する安定した接点接続部を創造することが不可欠である。同様に、電磁学的な干渉及び漏洩が、最小化されなければならない。さらに、これらの特性は、現実の環境下で機械的に操作され、一定して大量に製造することができる実際の形状において提供されなければならない。
【課題を解決するための手段】
【０００６】
改良された相互接続システムが、ここに開示される。特には、改良されたプラグが、ここに開示される。
【０００７】
開示された代表的プラグは、その中に挿入された信号接点及び接地接点を有するプラグハウジングを有する。このプラグハウジングは、その間に形成された間隙を有するそれから延びる複数のビームを有する本体を具備する。突出部材は、その遠方端におけるビーム間の間隙を橋渡しする。
【０００８】
接地接点は、プラグハウジング本体を介して、ビーム間に形成された間隙内に挿入される。接地接点は、本体、及びそれから延びる延長された接点部材、及び延長された接点部材の反対側の本体から延びる１対の接片を有する。この接片は、接点本体のエッジと整列されるその中に形成される部分を有し、圧力を加えることに慣れて、プラグハウジングに接点を挿入するようにされている。この延長された接点部材は、接点がプラグハウジングに挿入されるときに、突出部材を係合するその遠方端におけるその中に形成された凹所を有する。この接地接点は、さらにハウジング本体を介して、かつハウジングビームに沿うチャンネル内に配置されるそれから延びる突出部を有する。
【０００９】
信号接点は、プラグハウジング本体内に形成された通路を介して、そしてプラグハウジングビーム内に形成された谷部に沿って挿入される。各信号接点の第１部分は、第１形状係数を有し、各信号接点の第２部分は、第２形状係数を有する。プラグハウジング本体を介する通路の形状係数は、第１部分のそれよりも大きく、したがって、信号接点の第１部分は、ハウジング本体を介して、かつビームに沿って挿入される。しかしながら、通路の形状係数は、信号接点の第２部分よりも小さい。したがって、第２部分は、通路を介しては挿入できないが、むしろ、通路開口と締まり嵌めを形成する。信号接点の遠方端は、プラグハウジングからの突出部が延びるその中に形成された凹所を有する。
【発明を実施するための最良の形態】
【００１０】
代表的なプラグが、付属の図面に関連して説明される。
【００１１】
上述した有益な特徴を有する代表的なプラグ及びレセプタクルは、図１から２８に関連して以下に説明される。特に、代表的なプラグの新規な態様は、以下に詳細に説明される。図に関してここに与えられる記述は、図示された目的のためのみであって、可能性ある実施例の範囲を制限する意図は、いかなるものも決してない。可能性ある実施例の範囲に関する疑問は、付属の特許請求項を参照することによって解決される。
【００１２】
図１は、代表的なレセプタクル１１２との相互接続のために整列された代表的なプラグ１１０の斜視図を提供する。プラグ１１０は、ケーブル（図示せず）に組込まれた複数のワイヤのための終端点として役立つ。レセプタクル１１２は、例えば印刷回路基板のような装置に対する電気的な接続性を提供する。プラグ１１０は、図２に示されるように、レセプタクル１１２が接続される装置にプラグ１１０から連絡通路を提供するように、レセプタクル１１２に挿入される。
【００１３】
レセプタクル１１２の正面、背面、及び分解図は、それぞれ図３、４、及び５において提供される。図示されるように、レセプタクル１１２は、その中に信号接点２１２、接地接点２１４、及びラッチプレート２１６が挿入されるレセプタクルハウジング２１０を有する。金属の信号接点２１２及び接地接点２１４は、ハウジング２１０の後方側２１８からレセプタクルハウジング２１２のプラグ接続部部分２２０に延びており、摩擦結合によって決まった場所に固定される。
【００１４】
プラグ接続部部分２２０は、その中に接点２１２及び２１４が、プラグ１１０における対応する接点と組合う目的のために露出される区域を有する。レセプタクルハウジング２１０は、例えば液晶ポリマー（ＬＣＰ）のような高温熱可塑性材料から製造され、接点２１２間に電気絶縁を与えるように作用される。
【００１５】
ラッチプレート２１６は、ラッチバー２２２及びそれから延びるラッチ部材２２４を有する。ラッチ部材２２４はハウジング２１０を介して延び、外部側２２６から突出する。
【００１６】
凹所２２８は、ラッチ部材２２４に形成され、プラグ組立２１０からの対応するラッチ４２１を受けるために設計される。ラッチ部材２２４は、電気的ガスケット２３８から延びるロッキング部材２９０と相互に作用するためにその外部表面に形成される通路２２５を有する。ラッチプレート２１６及び、特に、ラッチバー２２２は、レセプタクルハウジング２１０の後方を横切って延び、意図しない取扱いから接点２１２及び２１４を保護する。一般に、ラッチプレート２１６は、例えば、冷間圧延鋼（ＣＲＳ）のような接合可能な高強度導電金属から形成され、さらに印刷回路基板のような装置の接地接点を接続するための接地突起２３０を有する。
【００１７】
シールディングシェル２３２は、プラグ接続部２２０部分の外部表面に対応するように形成され、それに嵌めあわされる。特に、シェル２３２は、ケーシング２３３を有し、このケーシング２３３は、接続部部分２２０の表面をさやに入れる。レセプタクル２３４は、シェル２３２内に形成され、ハウジング２１０に形成された突起２３６に対応する。レセプタクル２３４は、突起２３６を摩擦的に相互に作用し合い、シェル２３２をプラグ接続部部分２２０の位置に保持する。シールディングシェル２３２は、例えば、冷間圧延鋼のような押出し成形可能な導電性材料から製造される。レセプタクル１１２に対するプラグ１１０の接続時に、シールディングシェル２３２は、プラグ１１０の金属ケーシングと接触し、それによって電磁気的な干渉を（ＥＭＩ）減少する。
【００１８】
ガスケット２３８は、シールディングシェル２３２のケーシング２３３の周囲に嵌り合う。ガスケット２３８は、例えば、りん青銅のようなスプリング特性を有する導電性材料から製造される。プラグ１１０がレセプタクル１１２に挿入されるとき、ガスケット２３８から延びる金属ビームは、プラグ１１０のケーシングと重なる。ガスケット２３８は、それによってプラグ１１０及びレセプタクル１１２の間を脱出する電磁力（ＥＭＳ）を減少するように作用し、プラグ１１０及びレセプタクル１１２との間の等接地電位を維持する。
【００１９】
信号接点２１２は、プラグ１１０における対応接点を有する電気接点をつくるためのプラグ接点部分２５０と、印刷配線基板のような装置にレセプタクル１１２を電気的に接続するための尾部２５２とを有する。軸支部材２５４は、その２つの間に形成される。尾部２５２は、装置にレセプタクル１１２を接続するのを容易にするように、正確に整列される。接点２１２のきわめて精密な性質を仮定すると、製造中から電気装置に対する接続まで尾部２５２の整列を維持することは、難しい問題である。ここに開示されたレセプタクルハウジング２１０は、特に尾部２５２の望ましい整列を維持するために、特別に設計されている。
【００２０】
図６に示されるように、レセプタクルハウジング２１０は、それから延びる接続部部分２２０を有する本体２６０を具備する。接点支持部材２６２は、本体２６０から延びて、本体２６０によって接続部部分２２０から分離されている。接点支持部材２６２は、複数の接点スロット２６４、又は、接点２１２及び２１４の一部を受入れるためのエッジ２６６に形成された壁で囲まれた凹所を有する。信号接点２１２を受ける接点スロット２６４は、その中に信号接点２１２の軸支部材２５４を受入れる。図７Ａから７Ｄは、ハウジング２１０への挿入の各多様な段階における信号接点２１２を有するハウジング２１０の断面図を提供する。図示されるように、スロット２６４内に、支持整列部材２６２が、その中に支点、又は軸支点２６６を形成している。軸支点２６６において、支持整列部材２６２は、通常、鋭角を形成する。信号接点２１２がハウジング２１０に完全に挿入されると、軸支部材２５４は、軸支点２６６に当接し、この軸支点は、尾部２５２を上方に強制する。このように、軸支点２６６は、尾部２５２の垂直位置と同様に水平位置を規定するように作用する。軸支点２６６は、信号接点２１２を受ける複数のスロット２６４に形成される。図８に示されるように、ハウジング２１０に複数の信号接点２１２が挿入されたときには、尾部２５２は、水平及び垂直方向の整列に強制される。
【００２１】
図９は、シールディングシェル２３２の詳細図を提供する。図示されるように、シールディング２３２は、ケーシング２３３を有し、このケーシング２３３は、ハウジング２１０の接続部部分２２０の外部に嵌合するように形成される。シェル２３２は、さらに、ケーシング２３３と一体に形成され、組立時にハウジングの２１０の外部側２２６と当接する直立した壁２７０を有する。シェル２３２は、その中に形成された凹所２７２を形成して、ラッチ部材２２４を収容する。
【００２２】
シールディング２３２は、接点２１２及び２１４をＥＭＩからシールドし、レセプタクル１１２はプラグ１１０を受けるときにＥＭＦ漏洩を防止する。これらの機能は、レセプタクル１１２及びプラグ１１０間に電気的連続性があるときに最良に役立つ。したがって、シールディングシェル２３２とプラグ１１０のケーシングとの間に一様な、強い電気的接触を維持することが望ましい。ケーシング２３３は、その中に形成された突出部２７４を外方に有し、この一様な電気的接触を容易にする。この開示された実施例において、突出部２７４は、片持ち梁ビームの形状を有する。ケーシング２３３の外部表面からの突出部２７４の高さは、突出部２７４の長さに沿って増加する。その突出部２７４の長さを横切る高さ増加することは、公差限度及び組合う条件を通して、シェル２３２とプラグ１１０のケーシングとの間の物理的接触及び電気的連続性を維持する。図示されているように、突出部２７４は、ケーシング２３３の反対側に形成される。
【００２３】
シールディングシェル２３２は、さらに突出部２７８を有する。図１０に示されるように、レセプタクル１１２の組立時に、突出部２７８は、ラッチ部材２２４と接触する。上記したように、ラッチ部材２２４は、ラッチプレート２１６に設けられ、そのラッチプレートはさらに、接地突出部２３０を有する。したがって、突出部２７８及びラッチ部材２２４の間の接触は、接地突出部２３０を介して接地に電気通路を提供する。本当に、電気的接続性は、シェル２３２とラッチプレート２１６とを介して、プラグ１１０のケーシングから与えられる。レセプタクル１１２を介して接地に対する、プラグ１１０のケーシングとの連続的な電気的接触は、プラグ１１０及びレセプタクル１１２の間の同一接地電位を本質的に維持し、性能を大きく改良する。
【００２４】
電気的ガスケット２３８の詳細図が、図１１及び１２に提供される。図示されるように、ガスケット２３８は、フレーム２８０を有し、シェル２３２のケーシング２３３の周囲に位置されるように形成される。フレーム２８０は、フレーム２８０の外周の周りにはそれから延びる複数の弧状の金属ビームを有する。ビーム２８２は、フレーム２８０から通常、弧状の形状に延び、フレーム２８０に帰る。ビーム２８２は、例えば、ガスケットフレーム２８０の打ち出しによって形成される。ビーム２８２の第１の複数２８４は、中間的に配置されたフレーム２８０の部分２８６を有するフレーム２８０に沿って直線的に整列される。ビーム２８２の第２の複数２８８は、第１の複数２８４に接して形成される。第２の複数２８８におけるビーム２８２は、第１の複数２８４におけるビーム２８２と一部重なっており、それによって、第１の複数２８４におけるビーム間の部分２８６を橋渡ししている。ガスケット２３８が、それらに接続されたレセプタクル１１２及びプラグ１１０に適用されるときには、プラグ１１０及びレセプタクル１１２の間に最も近接した間隙が配置され、一部重なるビーム２８２は、２つの装置間の電磁力（ＥＭＦ）のために漏洩通路を最小化する。
【００２５】
ガスケット２３８は、さらに組立てられたレセプタクル１１２のガスケット２３８の移動を制限するためのロッキング部材２９０を有する。ロッキング部材２９０は、フレーム２８０から離れ、レセプタクル１１２に組立てられたときには、ラッチ部材２２４に形成された通路２２５内に延びる。ロッキング部材２９０は、通路２２５内にあり、その通路２２５の長さによって動きの自由範囲内に制限される。
【００２６】
図１３は、ラッチプレート２１６の詳細図を提供する。図示されたように、ラッチプレート２１６は、それから延びるラッチ部材２２４を有するラッチバー２２２を具備する。ラッチ部材２２４は、ハウジング２１０（図１４参照）に形成されたラッチ部材開口２９４に挿入され、ハウジング２１０の外部側２２６から延びる。ラッチ部材２２４に形成された凹所２２８は、プラグ１１０からの対応するラッチ部材を受けるとともに、２つの装置の半分を一緒に固定するよう作用する。ラッチバー２２２は、接点２１２及び２１４に対する保護を提供するように作用し、その部品がレセプタクル１１２内に組立てられたときに、ハウジング２１０の重量を平衡させる。ラッチプレート２１６は、レセプタクル１１２が取付けられる装置の接地源側と接触するように設計された接地突出部２３０を有する。例えば、接地突出部２３０は、印刷回路基板に位置された接地と接触できる。最終的に、通路２２５が、ラッチ部材２２４の外部壁に形成されてロッキング部材２９０を受ける。
【００２７】
（プラグ）
図１５は、プラグ１１０の分解図を提供する。図示されたように、プラグ１１０は、その中に信号接点４１２及び接地接点４１４が挿入されるプラグハウジング４１０を有する。接点４１２及び４１４が、それに接続される信号ワイヤ（図示せず）を有するとともに、プラグ１１０からケーブル（図示せず）に延びる印刷回路基板４１５と接続される。その中に接点４１２及び４１４を有するプラグハウジング４１０とそれに接続された回路基板４１５とは、下部ケーシング半４１７及び上部ケーシング半４１９内にカプセルに包まれる。ラッチ４２１は、ケーシング半４１７及び４１９における凹所４２３内にあり、プラグ１１２のラッチ部材２２４と組合う。固定綱部４２５は、ラッチ４２１に接続され、ラッチ４２１のラッチング部分を制御するように作用する。
【００２８】
図１６は、その中に形成された信号接点４１２及び接地接点４１４を有するプラグハウジング４１０の分離された図を提供する。図１７Ａは斜視図を提供し、図１７Ｂは接点４１２、４１４なしのハウジング４１０の正面図を提供する。図示されるように、ハウジング４１０は、それから延びる複数の突出部、又はビーム４１８を有する本体部４１６を具備する。ビーム４１８は、ビーム４１８間に形成された間隙４２２をもってその中に形成された谷部４２０を有する。本体４１６は、その谷部４２０と整列してその中に形成された複数の通路４２４を有する。信号接点４１２は、通路を介して谷部４２０内に延びている。本体は、又ビーム４２２間に形成された間隙４２２と整列するその中に形成された第２の複数の通路４２６を有する。接地接点４１４は、通路４２６を介して間隙４２２内に延びる。ハウジング４１０は、さらにそれらの遠方端４３２の近傍にビーム４１８間の間隙を橋渡しする突出部材４３０を有する。
【００２９】
図１８は、接地接点４１４の分離した図を提供する。図示されるように、接地接点は、それから延びる延長した接点区域４３６を有する本体４３４を具備する。延長された接点区域４３６は、以下に説明するように遠方端を固定するためにその中に形成されたノッチ又は凹所４３７を有する。接地接点本体４３４は、第１の表面４３８と、あご４４２と嵌り込んで、ハウジング４１０との締まり嵌めを強化する第２の表面４４０とを有する。接地接点４１４は、さらに本体４３４から延び、本体４３４によって接点区域４３６から分離される接片４４４を有する。この接片４４４は、印刷配線基板４１５をもって電気接点を形成するためにその中に形成された接点区域４４６を有する。接片４４４は、さらにその中にツール適用区域４４８を形成してある。開示された実施例において、ツール適用区域４４８は、直角に形成された２つの表面を有し、接点４１４をハウジング４１０に挿入するためのツールの適用に適している。ツール適用区域４４８の一部は、表面４３８及び４４０とほぼ整列しており、例えば、接点４１４をハウジング４１０に挿入するためのツールで圧力を与えるために適切なてこ作用点を提供する。接点４１４は、さらに延長された区域３４６及び本体４３４の側から延びる接点突出部４５０を有する。以下に詳細に説明するように、組立てられたプラグハウジング４１０において、突出部４５０は、プラグハウジング本体４１６及びビーム４１８に形成された通路内に位置する。
【００３０】
図１９は、プラグハウジング４１０の背面図を提供する。図２０は、プラグハウジング４１０の一部断面の背面図を提供する。図示されるように、本体４１６は、その中に形成されたスロット、又は通路４２６を有する。通路４２６は、本体４１６の反対側から延びるビーム４１８間に形成された間隙４２２と整列する。したがって、接地接点４１４は、通路４２６、及び、ビーム４１８間に形成された間隙４２２内に延びる延長された接点区域４３６に挿入される。通路４２６は、その中に形成され、間隙４２２に対面するビーム４１８の外側に延びる溝４６２を有する。溝４６２は、接地接点４１４から延びる突出部４５０を受入れ、それによって接地接点４１４が、挿入及びその後の間に、プラグハウジング４１０内の決まった場所に固定する。
【００３１】
図２１及び２２は、一部断面を示すビーム４１８を有するプラグハウジング４１０の正面図を提供する。図示されるように、溝４６２は、ビーム間の間隙４２２内にビーム４１８に沿って延びている。又、接地接点４１４のノッチ４３７は突出部材４３０に対応する外形を有し、それと係合するように設計される。接地接点４１４がプラグハウジングに４１０に完全に挿入されると、ノッチ４３７は突出部材４３０に係合し、それによって決まった場所に接点４１４の遠方端を固定する。
【００３２】
図２３は、一部断面のプラグハウジング４１０の背面図を提供する。図示されるように、ハウジング本体４１６は、信号接点４１２を受けるためにその中に形成された通路４２４を有する。通路４２４は、ビーム４１８及び特にビーム４１８内に形成された谷部４２０と整列している。接点４１２は、通路４２４に挿入され、谷部４２０に延びている。
【００３３】
図２４は、通路４２４のための開口の拡大図を提供する。開示された実施例において、通路４２４の開口は、４つの側面を有し、その３つはまっすぐであり、その第４は、形はアーチ状である。これらの当業者は、その他の形状を用いることができることを認識する。通路４２４の開口の形状要素は、開口内に、そして開口を介して挿入される接点４１２の部分の形状要素より大きい。例えば、通路４２４の開口の高さは、その中に挿入される接点４１４の部分のそれよりも大きい。高さの相違は、通路４２４が信号接点４１２の接触部分を摩擦的に妨害することから避ける。しかしながら、図２５及び２６に示されるように、信号接点４１２の一部分は、保持あご４６６としてここに参照され、通路４２４に対する開口よりも大きい形状の要素を有する。したがって、あご区分４６６及び接点４１２は、プラグハウジング４１０に摩擦によって固定される。
【００３４】
図２７は、プラグハウジング４１０の正面図を提供する。ビーム４１８の一部分が、谷部４２０の信号接点４１２をよりよく例証するように断面で図示されている。又、ビーム４２８から谷部４２０内に延びる突出部４７０が例証されている。図２８は、谷部４２０に完全に挿入された信号接点４１２の拡大図を提供する。図示されるように、信号接点４１２は、その中に形成された凹所、又はノッチ４７２を有する。突出部４７０は、ノッチ４７２に位置し、それによって信号接点４１２、特にその遠方端を定まった場所に固定する。
【００３５】
このように、代表的なプラグ及びレセプタクルが、開示されてきた。この代表的な装置は、電気的性能を最高に活用し、首尾一貫して、実用的に製造できるように特別に設計された。この代表的な実施例によるプラグ及びレセプタクルは、インフィニバンド接続システムにおける使用には理想的であるが、他のアーキテクチャ又は標準でも同様に使用できる。
【００３６】
その精神や重要な特性から逸脱することなく上述の実施例についての変更が可能である。例えば、プラグハウジングを介して形成される通路の形状は、上述のそれと異なることが可能である。同様に、その内容は、ここに例証された以外の形状に形成することができる。また多数の変形が、開示された実施例には可能である。したがって、この発明は、あらゆる単一の実施例に限定されるものではなく、付属の特許請求項の引用にしたがって広がりと範囲内で解釈されるべきものである。
【図面の簡単な説明】
【００３７】
【図１】代表的なレセプタクル有する相互接続のために整列された代表的プラグの斜視図。
【図２】代表的なレセプタクルと相互接続された代表的プラグの斜視図。
【図３】代表的なレセプタクルの前面斜視図。
【図４】代表的なレセプタクルの後面斜視図。
【図５】代表的なレセプタクルの分解図。
【図６】代表的なレセプタクルハウジングの背面図。
【図７Ａ】代表的なレセプタクルハウジングへの挿入の多様な段階の１つの信号接点を示す図。
【図７Ｂ】代表的なレセプタクルハウジングへの挿入の多様な段階の１つの信号接点を示す図。
【図７Ｃ】代表的なレセプタクルハウジングへの挿入の多様な段階の１つの信号接点を示す図。
【図７Ｄ】代表的なレセプタクルハウジングへの挿入の多様な段階の他の１つの信号接点を示す図。
【図８】組立てられた代表的なレセプタクルの底部後面を示す図。
【図９】代表的なシールディングシェルの詳細図。
【図１０】ラッチ部材と接触する代表的なシールディングシェルの前面斜視図。
【図１１】代表的な電気的シールディングガスケットの斜視図。
【図１２】電気的シールディングガスケット及びラッチ部材の凹所の相互作用を図示する組立てられた代表的なレセプタクルの前面詳細図。
【図１３】代表的なラッチプレートの分離された図。
【図１４】それに取付けられたラッチプレートなしの代表的なレセプタクルハウジングの背面図。
【図１５】分解された代表的なプラグの斜視図。
【図１６】その中に接点を有する代表的なプラグハウジングの前面斜視図。
【図１７Ａ】接点を取り除かれた、代表的なプラグハウジングの前面斜視図。
【図１７Ｂ】接点を取り除かれた、代表的なハウジングの正面図。
【図１８】代表的なプラグハウジングにおいて使用する代表的な接地接点の分離された図。
【図１９】挿入のために整列された代表的な接地接点を有する代表的なプラグハウジングの後面斜視図。
【図２０】挿入のために整列された代表的な接地接点を有する代表的なプラグハウジングの一部断面の後面斜視図。
【図２１】それに部分的に挿入された代表的な接地接点を有する代表的なプラグハウジングの一部断面の前面斜視図。
【図２２】それに部分的に挿入された代表的な接地接点を有する代表的なプラグハウジングの一部断面の詳細な前面斜視図。
【図２３】挿入のために整列された代表的な信号接点を有する代表的なプラグハウジングの一部断面の後面斜視図。
【図２４】代表的なプラグハウジングへの挿入のために整列された信号接点の一部断面の詳細な後面斜視図。
【図２５】それに挿入された信号接点を有する代表的なプラグハウジングの一部断面の後面斜視図。
【図２６】代表的なプラグハウジングに完全に挿入された信号接点の一部断面の詳細な後面斜視図。
【図２７】代表的なプラグハウジングに部分的に挿入された信号接点の一部断面の前面斜視図。
【図２８】代表的なビームに形成された谷部に挿入された信号接点の詳細な斜視図。
【図１】
2005531886.tif 000003
【図２】
2005531886.tif 000004
【図３】
2005531886.tif 000005
【図４】
2005531886.tif 000006
【図５】
2005531886.tif 000007
【図６】
2005531886.tif 000008
【図７Ａ】
2005531886.tif 000009
【図７Ｂ】
2005531886.tif 000010
【図７Ｃ】
2005531886.tif 000011
【図７Ｄ】
2005531886.tif 000012
【図８】
2005531886.tif 000013
【図９】
2005531886.tif 000014
【図１０】
2005531886.tif 000015
【図１１】
2005531886.tif 000016
【図１２】
2005531886.tif 000017
【図１３】
2005531886.tif 000018
【図１４】
2005531886.tif 000019
【図１５】
2005531886.tif 000020
【図１６】
2005531886.tif 000021
【図１７Ａ】
2005531886.tif 000022
【図１７Ｂ】
2005531886.tif 000023
【図１８】
2005531886.tif 000024
【図１９】
2005531886.tif 000025
【図２０】
2005531886.tif 000026
【図２１】
2005531886.tif 000027
【図２２】
2005531886.tif 000028
【図２３】
2005531886.tif 000029
【図２４】
2005531886.tif 000030
【図２５】
2005531886.tif 000031
【図２６】
2005531886.tif 000032
【図２７】
2005531886.tif 000033
【図２８】
2005531886.tif 000034
【国際調査報告】
2005531886.tif 000035